(57)【要約】【課題】送信先のファクシミリ装置からの返信を受け付けるファクシミリ装置であって，当該返信をユーザが確認し易い技術を提供すること。【解決手段】ファクシミリ装置１００は，ファクシミリ送信の対象となった第１のファクシミリデータに含まれる第１の画像ファイルを識別する識別情報と宛先情報とを，関連付けて記憶する。また，ファクシミリ装置１００は，第２のファクシミリデータを受信した際，当該第２のファクシミリデータに含まれる識別情報と，第１の画像ファイルの識別情報と，が一致する場合に，当該第２のファクシミリデータに含まれる第２の画像ファイルと当該第２の画像ファイルを取得するための情報である取得情報との少なくとも一方を，第１の画像ファイルの識別情報と関連付けられた宛先情報に基づく通知先に送信する。【選択図】            図３
2016051951.tif 000002
【特許請求の範囲】
【請求項１】
ファクシミリ通信を行う第１の通信部と，
前記ファクシミリ通信とは異なる方式で通信を行う第２の通信部と，
制御部と，
を備え，
前記制御部は，
第１の画像ファイルを取得する第１画像取得処理と，
前記第１の画像ファイルを識別する識別情報と，前記第１の画像ファイルの送信に対する返信を受信する際の通知先となる宛先情報と，を関連付けて，第１のメモリに記憶させる第１記憶処理と，
前記第１の画像ファイルと前記第１の画像ファイルの識別情報とを含む第１のファクシミリデータを，前記第１の通信部を用いて，送信先のファクシミリ装置である送信先装置にファクシミリ送信する第１送信処理と，
前記第１のファクシミリデータをファクシミリ送信した後，第２の画像ファイルと識別情報とを含む第２のファクシミリデータを，前記第１の通信部を用いて，前記送信先装置からファクシミリ受信する第１受信処理と，
前記第２のファクシミリデータをファクシミリ受信した場合に，前記第１のメモリに記憶される識別情報と，前記第２のファクシミリデータに含まれる識別情報と，が一致するか否かを判断する判断処理と，
前記第１のメモリに記憶される識別情報と，前記第２のファクシミリデータに含まれる識別情報と，が一致すると判断された場合に，前記第２のファクシミリデータに含まれる識別情報と一致する前記第１のメモリに記憶される識別情報に関連付けられた宛先情報を通知先にして，前記第２の通信部を用いて，前記第２のファクシミリデータに含まれる第２の画像ファイルと当該第２の画像ファイルを取得するための情報である取得情報との少なくとも一方を，送信する第１通知処理と，
を実行することを特徴とするファクシミリ装置。
【請求項２】
請求項１に記載するファクシミリ装置において，
前記制御部は，
前記第２のファクシミリデータに含まれる第２の画像ファイルを，第２のメモリに記憶させる第２記憶処理を実行し，
前記第１通知処理では，前記第２のメモリへのアクセス情報を含む前記取得情報を，前記通知先に送信することを特徴とするファクシミリ装置。
【請求項３】
ファクシミリ通信を行う第１の通信部と，
前記ファクシミリ通信とは異なる方式で通信を行う第２の通信部と，
制御部と，
を備え，
前記制御部は，
第１の画像ファイルを取得する第１画像取得処理と，
前記第１の画像ファイルを識別する識別情報と，前記第１の画像ファイルの送信に対する返信を受信する際の通知先となる宛先情報と，を関連付けて，第１のメモリに記憶させる第１記憶処理と，
前記第１の画像ファイルと前記第１の画像ファイルの識別情報とを含む第１のファクシミリデータを，前記第１の通信部を用いて，送信先のファクシミリ装置である送信先装置にファクシミリ送信する第１送信処理と，
前記第１のファクシミリデータをファクシミリ送信した後，第２の画像ファイルと識別情報とを含む第２のファクシミリデータを，前記第１の通信部を用いて，前記送信先装置からファクシミリ受信する第１受信処理と，
前記第２のファクシミリデータをファクシミリ受信した場合に，前記第１のメモリに記憶される識別情報と，前記第２のファクシミリデータに含まれる識別情報と，が一致するか否かを判断する判断処理と，
前記第１のメモリに記憶される識別情報と，前記第２のファクシミリデータに含まれる識別情報と，が一致すると判断された場合に，前記第２のファクシミリデータに含まれる第２の画像ファイルと当該第２の画像ファイルを取得するための情報である取得情報との少なくとも一方と，前記第２のファクシミリデータに含まれる識別情報と一致する前記第１のメモリに記憶される識別情報に関連付けられた宛先情報と，を，前記第２の通信部を用いて，所定の情報処理装置に送信する第２通知処理と，
を実行することを特徴とするファクシミリ装置。
【請求項４】
請求項１から請求項３のいずれか１つに記載するファクシミリ装置において，
前記制御部は，
前記第１画像取得処理では，前記ファクシミリ装置が前記第１の画像ファイルを前記第１の通信部を用いて前記送信先装置にファクシミリ送信する指示である第１の送信指示であって，前記第１の画像ファイルと前記宛先情報とが含まれる前記第１の送信指示を，外部装置から受信することを特徴とするファクシミリ装置。
【請求項５】
請求項１から請求項４のいずれか１つに記載するファクシミリ装置において，
前記制御部は，
前記第１送信処理では，前記識別情報を拡張フィールドに含む前記第１のファクシミリデータを，前記第１の通信部を用いて前記送信先装置にファクシミリ送信することを特徴とするファクシミリ装置。
【請求項６】
請求項１から請求項５のいずれか１つに記載するファクシミリ装置において，
前記制御部は，
第３の画像ファイルと前記第３の画像ファイルを識別する識別情報とを含む第３のファクシミリデータを，前記第１の通信部を用いて，送信元のファクシミリ装置である送信元装置からファクシミリ受信する第２受信処理と，
前記第３のファクシミリデータをファクシミリ受信した場合に，当該第３のファクシミリデータに含まれる識別情報と，前記送信元装置のファクシミリ番号と，を関連付けて，第３のメモリに記憶させる第３記憶処理と，
第４の画像ファイルを取得する第２画像取得処理と，
前記第３のファクシミリデータに対する返信の条件を満たした場合に，前記第４の画像ファイルと前記第３のファクシミリデータに含まれる識別情報とを含む第４のファクシミリデータを，前記第１の通信部を用いて，前記ファクシミリ番号を送信先として，前記送信元装置にファクシミリ送信する第２送信処理と，
を実行することを特徴とするファクシミリ装置。
【請求項７】
ファクシミリ通信を行う第１の通信部と，
制御部と，
を備え，
前記制御部は，
第１の画像ファイルと前記第１の画像ファイルを識別する識別情報とを含む第１のファクシミリデータを，前記第１の通信部を用いて，送信元のファクシミリ装置である送信元装置からファクシミリ受信する第２受信処理と，
前記第１のファクシミリデータをファクシミリ受信した場合に，当該第１のファクシミリデータに含まれる識別情報と，前記送信元装置のファクシミリ番号と，を関連付けて，第３のメモリに記憶させる第３記憶処理と，
第２の画像ファイルを取得する第２画像取得処理と，
前記第１のファクシミリデータに対する返信の条件を満たした場合に，前記第２の画像ファイルと前記第１のファクシミリデータに含まれる識別情報とを含む第２のファクシミリデータを，前記第１の通信部を用いて，前記ファクシミリ番号を送信先として，前記送信元装置にファクシミリ送信する第２送信処理と，
を実行することを特徴とするファクシミリ装置。
【請求項８】
請求項７に記載するファクシミリ装置において，
前記制御部は，
前記第３のメモリに記憶される識別情報に基づいて，前記第１のファクシミリデータに対する返信の指示を受け付ける画面である返信指示画面を，表示部に表示させる表示処理を実行し，
前記返信指示画面を介して返信の指示を受け付けた場合に，前記第１のファクシミリデータに対する返信の条件を満たしたと判断することを特徴とするファクシミリ装置。
【請求項９】
請求項８に記載するファクシミリ装置において，
前記表示部を備え，
前記制御部は，
前記第３記憶処理では，さらに，前記第１のファクシミリデータに含まれる第１の画像ファイルを，前記識別情報と前記ファクシミリ番号とに関連付けて，前記第３のメモリに記憶させ，
前記表示処理では，前記第１の画像ファイルにて示される画像と，返信の指示を入力するボタンと，を含む前記返信指示画面を，前記表示部に表示させることを特徴とするファクシミリ装置。
【請求項１０】
請求項９に記載するファクシミリ装置において，
前記制御部は，
前記第１のファクシミリデータを受信した場合に，前記第１の画像ファイルにて示される画像を，前記表示部に表示するか否かを設定する設定処理を実行し，
前記第１の画像ファイルにて示される画像を，前記表示部にて表示しないことが設定されている場合，前記表示処理では，前記第１の画像ファイルにて示される画像を含まず，前記ボタンを含む前記返信指示画面を，前記表示部に表示させることを特徴とするファクシミリ装置。
【発明の詳細な説明】
【技術分野】
【０００１】
本発明は，ファクシミリ通信を行うファクシミリ装置に関する。さらに詳細には，ファクシミリ通信の返信に関する技術である。
【背景技術】
【０００２】
従来から，ファクシミリ通信によって画像ファイルを受信したファクシミリ装置が，当該画像ファイルを送信したファクシミリ装置に対して，ファクシミリ通信を用いて返信する技術が知られている。
【０００３】
ファクシミリ装置の返信技術を開示した文献としては，例えば，特許文献１がある。特許文献１には，ファクシミリ通信によって受信した画像ファイルに識別番号を付与し，当該識別番号と画像ファイルの送信元のダイヤル情報とを対応付けて記憶する構成と，画像ファイルに識別番号を付加して印刷する構成と，識別番号を用いて返信対象の選択を受け付け，選択された識別番号に対応付けられたダイヤル情報に基づいて発呼する構成とが開示されている。
【先行技術文献】
【特許文献】
【０００４】
【特許文献１】特開平９−１６３１１５号公報
【発明の概要】
【発明が解決しようとする課題】
【０００５】
しかしながら，前記した従来の技術には，次のような問題があった。例えば，パーソナルコンピュータ（以下，「ＰＣ」と呼ぶ）やスマートフォン等の外部装置からファクシミリ装置を遠隔操作してファイル送信の指示を入力する場合，ユーザはファクシミリ装置の前にいない可能性が高い。また，ファクシミリ装置を操作する場合であっても，ユーザはファクシミリ送信の指示を入力する際にはファクシミリ装置の前にいるが，その後は立ち去ってしまう。そのため，送信先のファクシミリ装置からの返信を，ユーザが確認し難い。
【０００６】
本発明は，前記した従来の技術が有する問題点を解決するためになされたものである。すなわちその課題とするところは，送信先のファクシミリ装置からの返信を受け付けるファクシミリ装置であって，当該返信をユーザが確認し易い技術を提供することにある。
【課題を解決するための手段】
【０００７】
この課題の解決を目的としてなされたファクシミリ装置は，ファクシミリ通信を行う第１の通信部と，前記ファクシミリ通信とは異なる方式で通信を行う第２の通信部と，制御部と，を備え，前記制御部は，第１の画像ファイルを取得する第１画像取得処理と，前記第１の画像ファイルを識別する識別情報と，前記第１の画像ファイルの送信に対する返信を受信する際の通知先となる宛先情報と，を関連付けて，第１のメモリに記憶させる第１記憶処理と，前記第１の画像ファイルと前記第１の画像ファイルの識別情報とを含む第１のファクシミリデータを，前記第１の通信部を用いて，送信先のファクシミリ装置である送信先装置にファクシミリ送信する第１送信処理と，前記第１のファクシミリデータをファクシミリ送信した後，第２の画像ファイルと識別情報とを含む第２のファクシミリデータを，前記第１の通信部を用いて，前記送信先装置からファクシミリ受信する第１受信処理と，前記第２のファクシミリデータをファクシミリ受信した場合に，前記第１のメモリに記憶される識別情報と，前記第２のファクシミリデータに含まれる識別情報と，が一致するか否かを判断する判断処理と，前記第１のメモリに記憶される識別情報と，前記第２のファクシミリデータに含まれる識別情報と，が一致すると判断された場合に，前記第２のファクシミリデータに含まれる識別情報と一致する前記第１のメモリに記憶される識別情報に関連付けられた宛先情報を通知先にして，前記第２の通信部を用いて，前記第２のファクシミリデータに含まれる第２の画像ファイルと当該第２の画像ファイルを取得するための情報である取得情報との少なくとも一方を，送信する第１通知処理と，を実行することを特徴としている。
【０００８】
すなわち，本明細書に開示されるファクシミリ装置は，ファクシミリ送信の対象となった第１のファクシミリデータについて，第１のファクシミリデータに含まれる第１の画像ファイルの識別情報を，宛先情報と関連付けて記憶している。そのため，第２のファクシミリデータをファクシミリ受信した際，当該第２のファクシミリデータに含まれる識別情報が，第１の画像ファイルの識別情報と一致するか否かによって，第１のファクシミリデータに対応する返信か否かを区別できる。さらに，識別情報が一致するか否かを判断することで，どの第１のファクシミリデータに対応する返信かを判断できる。そして，ファクシミリ装置は，第２のファクシミリデータが，第１のファクシミリデータに対応する返信であった場合に，当該第２のファクシミリデータに含まれる第２の画像ファイルとその取得情報との少なくとも一方を，第１の画像ファイルの識別情報と関連付けられた宛先情報を通知先として送信することで，ユーザはその通知先を介して，返信が有ったことを認識でき，さらにその返信内容を確認できる。
【０００９】
また，本明細書には，ファクシミリ通信を行う第１の通信部と，前記ファクシミリ通信とは異なる方式で通信を行う第２の通信部と，制御部と，を備え，前記制御部は，第１の画像ファイルを取得する第１画像取得処理と，前記第１の画像ファイルを識別する識別情報と，前記第１の画像ファイルの送信に対する返信を受信する際の通知先となる宛先情報と，を関連付けて，第１のメモリに記憶させる第１記憶処理と，前記第１の画像ファイルと前記第１の画像ファイルの識別情報とを含む第１のファクシミリデータを，前記第１の通信部を用いて，送信先のファクシミリ装置である送信先装置にファクシミリ送信する第１送信処理と，前記第１のファクシミリデータをファクシミリ送信した後，第２の画像ファイルと識別情報とを含む第２のファクシミリデータを，前記第１の通信部を用いて，前記送信先装置からファクシミリ受信する第１受信処理と，前記第２のファクシミリデータをファクシミリ受信した場合に，前記第１のメモリに記憶される識別情報と，前記第２のファクシミリデータに含まれる識別情報と，が一致するか否かを判断する判断処理と，前記第１のメモリに記憶される識別情報と，前記第２のファクシミリデータに含まれる識別情報と，が一致すると判断された場合に，前記第２のファクシミリデータに含まれる第２の画像ファイルと当該第２の画像ファイルを取得するための情報である取得情報との少なくとも一方と，前記第２のファクシミリデータに含まれる識別情報と一致する前記第１のメモリに記憶される識別情報に関連付けられた宛先情報と，を，前記第２の通信部を用いて，所定の情報処理装置に送信する第２通知処理と，を実行することを特徴とするファクシミリ装置が開示されている。
【００１０】
すなわち，上述の構成のファクシミリ装置では，第２のファクシミリデータに含まれる第２の画像ファイルとその取得情報との少なくとも一方と，第２のファクシミリデータに含まれる識別情報と一致する第１のメモリに記憶される識別情報に関連付けられた宛先情報とを，所定の情報処理装置に送信する。これにより，当該情報処理が，宛先情報によって特定される通知先に，第２の画像ファイルとその取得情報との少なくとも一方を送信することで，これらの情報を当該通知先が取得できる。その結果として，ユーザは当該通知先を介して，返信が有ったことを認識でき，さらにその返信内容を確認できる。
【００１１】
また，本明細書には，ファクシミリ通信を行う第１の通信部と，制御部と，を備え，前記制御部は，第１の画像ファイルと前記第１の画像ファイルを識別する識別情報とを含む第１のファクシミリデータを，前記第１の通信部を用いて，送信元のファクシミリ装置である送信元装置からファクシミリ受信する第２受信処理と，前記第１のファクシミリデータをファクシミリ受信した場合に，当該第１のファクシミリデータに含まれる識別情報と，前記送信元装置のファクシミリ番号と，を関連付けて，第３のメモリに記憶させる第３記憶処理と，第２の画像ファイルを取得する第２画像取得処理と，前記第１のファクシミリデータに対する返信の条件を満たした場合に，前記第２の画像ファイルと前記第１のファクシミリデータに含まれる識別情報とを含む第２のファクシミリデータを，前記第１の通信部を用いて，前記ファクシミリ番号を送信先として，前記送信元装置にファクシミリ送信する第２送信処理と，を実行することを特徴とするファクシミリ装置が開示されている。
【００１２】
すなわち，上述の構成のファクシミリ装置は，第１のファクシミリデータをファクシミリ受信した場合に，当該第１のファクシミリデータに含まれる識別情報と，送信元装置のファクシミリ番号と，を関連付けて記憶する。そして，第１のファクシミリデータに対する返信の条件を満たした場合に，第１のファクシミリデータに含まれる識別情報を含む第２のファクシミリデータを，送信元装置のファクシミリ番号を送信先としてファクシミリ送信する。これにより，ファクシミリ装置は，送信元のファクシミリ装置に対して，特定のファクシミリデータに対する返信であることを認識させることができる。
【００１３】
上記画像形成装置の機能を実現するための制御方法，コンピュータプログラム，および当該コンピュータプログラムを格納するコンピュータ読取可能な記憶媒体も，新規で有用である。
【発明の効果】
【００１４】
本発明によれば，送信先のファクシミリ装置からの返信を受け付けるファクシミリ装置であって，当該返信をユーザが確認し易い技術が実現される。
【図面の簡単な説明】
【００１５】
【図１】実施の形態のファクシミリ通信システムの構成を示すブロック図である。
【図２】ファクシミリ送信および返信のデータのシーケンスを示す図である。
【図３】第１の形態における，リモート通信によるファクシミリ送信および返信の概要を示すブロック図である。
【図４】ファクシミリ装置が実行する送信処理の手順を示すフローチャートである。
【図５】ファクシミリ装置が実行する受信処理の手順を示すフローチャートである。
【図６】ファクシミリ装置が実行する返信処理の手順を示すフローチャートである。
【図７】プレビュー画面の構成を示す図である。
【図８】ファクシミリデータ一覧画面の構成を示す図である。
【図９】第２の形態における，リモート通信によるファクシミリ送信および返信機能の概要を示すブロック図である。
【図１０】第３の形態における，リモート通信によるファクシミリ送信および返信機能の概要を示すブロック図である。
【発明を実施するための形態】
【００１６】
以下，本実施形態にかかる画像処理装置について，添付図面を参照し詳細に説明する。本形態は，モバイル装置からファクシミリ装置に対してファクシミリ送信を指示するファクシミリ通信システムに本発明を適用したものである。
【００１７】
［ファクシミリ通信システムの全体構成］
本形態のファクシミリ通信システム９００は，図１に示すように，ファクシミリ装置（図面中では「ＦＡＸ装置」と記載する）１００，１５０と，モバイル装置２００と，ファイルサーバ３００とを備えている。ファクシミリ装置１００と通信するデバイスは，図示されたファクシミリ装置１５０等の他にも何台接続されていてもよい。
【００１８】
モバイル装置２００としては，例えば，スマートフォンやタブレット型のＰＣが該当する。モバイル装置２００は，外部装置の一例である。ファイルサーバ３００は，情報処理装置の一例である。
【００１９】
本形態のファクシミリ通信システム９００では，ファクシミリ装置１００とファクシミリ装置１５０との間で，電話回線を介したファクシミリ通信によるデータの受け渡しが可能である。また，ファクシミリ装置１００とモバイル装置２００とファイルサーバ３００との間で，インターネットを介したデータの受け渡しが可能である。インターネットを介したデータの受け渡しは，有線であっても無線であってもよい。また，インターネットを介さず，データを受け渡してもよい。
【００２０】
［ファクシミリ装置の構成］
続いて，本形態のファクシミリ通信システム９００に含まれるファクシミリ装置の構成として，ファクシミリ装置１００の概略構成について説明する。なお，図１では，ファクシミリ装置１５０の構成を省略しているが，ファクシミリ装置１５０もファクシミリ装置１００と同様の構成を有している。
【００２１】
ファクシミリ装置１００は，図１に示したように，ＣＰＵ３１と，ＲＯＭ３２と，ＲＡＭ３３と，ＮＶＲＡＭ（Non Volatile RAMの略）３４とを備えるコントローラ３０を有している。なお，図１中のコントローラ３０は，ＣＰＵ３１等，ファクシミリ装置１００の制御に利用されるハードウェアを纏めた総称であって，実際にファクシミリ装置１００に存在する単一のハードウェアと表すとは限らない。
【００２２】
ＲＯＭ３２には，ファクシミリ装置１００を制御するための制御プログラムであるファームウェアや各種設定，初期値等が記憶されている。ＲＡＭ３３およびＮＶＲＡＭ３４は，各種制御プログラムが読み出される作業領域として，あるいはデータを一時的に記憶する記憶領域として利用される。
【００２３】
ＣＰＵ３１は，ＲＯＭ３２から読み出した制御プログラムや各種センサから送られる信号に従って，その処理結果をＲＡＭ３３またはＮＶＲＡＭ３４に記憶させながら，ファクシミリ装置１００の各構成要素を制御する。ＣＰＵ３１は，制御部の一例である。なお，コントローラ３０が制御部の一例であってもよい。
【００２４】
また，ファクシミリ装置１００は，シートに画像を印刷する印刷部１０と，原稿の画像を読み取る読取部２０と，表示機能と入力機能とを兼ねる操作パネル４０と，有線ＬＡＮインターフェース（図面中では「有線ＬＡＮ  ＩＦ」と記載する）３６と，無線ＬＡＮインターフェース（図面中では「無線ＬＡＮ  ＩＦ」と記載する）３７と，ファクシミリインターフェース（図面中では「ＦＡＸ  ＩＦ」と記載する）３８とを有し，これらがＣＰＵ３１によって制御される。
【００２５】
印刷部１０は，カラー印刷が可能であってもモノクロ印刷のみが可能であってもよい。また，印刷方式についても，電子写真方式であってもインクジェット方式であってもよい。また，読取部２０は，カラースキャンが可能であってもモノクロスキャンのみが可能であってもよい。また，読取機構についても，ＣＣＤであってもＣＩＳであってもよい。
【００２６】
有線ＬＡＮインターフェース３６は，ＩＥＥＥの８０２．３の規格およびそれに準ずる規格に基づいて，イーサネット（登録商標）方式の有線通信を可能にするハードウェアである。また，無線ＬＡＮインターフェース３７は，ＩＥＥＥの８０２．１１の規格およびそれに準ずる規格に基づいて，ＷｉＦｉ方式の無線通信を可能にするハードウェアである。ファクシミリ装置１００は，有線ＬＡＮインターフェース３６ないし無線ＬＡＮインターフェース３７を介して，モバイル装置２００ないしファイルサーバ３００から送信されるデータを受信する。さらに，ファクシミリ装置１００は，有線ＬＡＮインターフェース３６ないし無線ＬＡＮインターフェースを介して，モバイル装置２００ないしファイルサーバ３００にデータを送信する。有線ＬＡＮインターフェース３６および無線ＬＡＮインターフェース３７は，第２の通信部の一例である。
【００２７】
ファクシミリインターフェース３８は，電話回線接続を制御するＮＣＵと，音声信号とデジタル信号との変調を行うモデムとを備え，電話回線を使用した通信を行うためのハードウェアである。ファクシミリ装置１００は，ファクシミリインターフェース３８を介して他のファクシミリ装置との間でファクシミリ通信を行う。ファクシミリインターフェース３８は，第１の通信部の一例である。
【００２８】
操作パネル４０は，ファクシミリ装置１００の外装に設けられ，ユーザ入力を受け付ける各種のボタン群と，メッセージや各種の設定を表示するタッチパネルとを有している。各種のボタンとしては，例えば，テンキー，矢印キー，ＯＫボタン，キャンセルボタンがある。また，タッチパネルは，ユーザがタッチ操作することによっても入力が可能であり，例えば，各種の設定やユーザ情報がタッチパネルから入力される。操作パネル４０は，表示部の一例である。
【００２９】
［第１の形態］
［ファクシミリ通信システムの動作概要］
続いて，ファクシミリ通信システム９００における第１の形態の動作について説明する。より詳細には，モバイル装置２００からファクシミリ装置１００に対してファクシミリ送信を指示する動作，およびファクシミリ装置１００からファクシミリ装置１５０に対してファクシミリ送信（図面中では「ＦＡＸ送信」と記載する）を行う動作，およびファクシミリ送信が行われた後，ファクシミリ装置１５０からファクシミリ装置１００に対して返信を行う動作について，図２のシーケンス図および図３のブロック図を参照しつつ説明する。
【００３０】
始めに，モバイル装置２００からファクシミリ装置１００に対してファクシミリ送信を指示するにあたって，モバイル装置２００とファクシミリ装置１００との間で，無線通信によるリモート通信を確立させる。
【００３１】
モバイル装置２００がファクシミリ装置１００との間でリモート通信を確立させるには，先ず，モバイル装置２００にてファクシミリ装置１００を制御するためのアプリケーションプログラムを起動させる。モバイル装置２００には，ＯＳや，インターネット上のファイルを閲覧するためのブラウザ，各種のデバイスを制御するデバイスドライバの他，ファクシミリ装置１００に印刷，読み取り，ファクシミリ送信等を実行させるジョブを受け付けるアプリケーションプログラム（以下，「アプリ」と呼ぶ）が記憶されている。モバイル装置２００は，そのアプリを介してファクシミリ装置１００の利用開始の要求を受け付ける。そして，当該要求を受け付けると，モバイル装置２００は，ファクシミリ装置１００に対してリモート通信の接続要求を送信する。
【００３２】
ファクシミリ装置１００は，無線ＬＡＮインターフェース３７を用いてモバイル装置２００から接続要求を受信すると，モバイル装置２００とのリモート通信を許可する条件を満たすか否かを判断し，条件を満たすと判断した場合に，モバイル装置２００との間で，リモート通信を許可する状態であるセッションを確立させる。なお，ファクシミリ装置１００は，例えば，他の装置との間でセッションが確立されていない場合に，条件を満たすと判断する。また，例えば，接続要求にユーザ情報が付加されている場合であって，そのユーザ情報に対応するユーザの利用を許可する場合，すなわちログインを許可する場合に，条件を満たすと判断してもよい。以下，セッションが確立されたものとする。
【００３３】
モバイル装置２００は，ファクシミリ装置１００とセッションが確立されている間，アプリを介してファクシミリ装置１００に対する各種の処理の実行要求を受け付ける。モバイル装置２００は，利用する処理が選択され，実行要求を受け付ける。
【００３４】
具体的に，ファクシミリ送信の実行要求を受け付けると，モバイル装置２００は，送信対象となる画像ファイルの選択および当該画像ファイルの送信先の設定を受け付ける。そして，ファクシミリ送信の実行指示を受け付けると，ファクシミリ送信指示をファクシミリ装置１００に送信する（図３の（１））。ファクシミリ送信指示には，選択された画像ファイル，送信先のファクシミリ番号，およびモバイル装置２００にて受信可能な電子メールアドレスである宛先情報が含まれる。以下，ファクシミリ装置１５０を送信先とするファクシミリ送信の実行指示を受け付けたものとする。なお，ファクシミリ装置１００に原稿を読み取らせ，読み取らせた画像を送信させる場合には，画像ファイルの選択は行われない。そのため，ファクシミリ送信指示には画像ファイルが含まれない。
【００３５】
ファクシミリ装置１００は，ファクシミリ送信指示を受信すると，画像ファイルをファクシミリ用のデータに変換した画像データを生成する。ファクシミリ送信指示に画像ファイルが含まれない場合には，ファクシミリ装置１００は原稿の読み取りを開始し，読み取った画像に基づいて画像データを生成する。例えば，上記の各構成ともに，ＪＰＥＧ（Joint Photographic Experts Groupnの略）形式で圧縮されている画像ファイルから，ＴＩＦＦ（Tagged Image File Formatの略）形式に変換した画像データを生成する。ファクシミリ送信指示に含まれる画像ファイルあるいは原稿を読み取ることによって得られる画像は，第１の画像ファイルの一例である。
【００３６】
さらに，ファクシミリ装置１００は，当該画像データを識別するための画像ＩＤを生成する。そして，ファクシミリ装置１００は，生成した画像ＩＤと，ファクシミリ送信指示に含まれる宛先情報，すなわちモバイル装置２００にて受信可能な電子メールアドレスとが関連付けられた送信データ情報を，送信データデータベース（以下，「送信ＤＢ」と呼ぶ）１１０に登録する（図３の（２））。送信ＤＢ１１０は，ＮＶＲＡＭ３４に記憶される。なお，ファイルサーバ３００等，他のデバイスに送信ＤＢ１１０が記憶されていてもよい。送信ＤＢ１１０およびＮＶＲＡＭ３４は，第１のメモリの一例である。
【００３７】
また，ファクシミリ装置１００は，送信先となるファクシミリ装置１５０のファクシミリ番号，送信元となるファクシミリ装置１００のファクシミリ番号，送信対象となる画像データの他，画像ＩＤを含むファクシミリデータ（図面中では「ＦＡＸデータ」と記載する）を生成する。例えば，ファクシミリ送信プロトコルの拡張フィールドに画像ＩＤを記憶する。そして，生成したファクシミリデータを，送信先に指定されたファクシミリ装置１５０にファクシミリ送信する（図３の（３））。ファクシミリデータは，第１のファクシミリデータの一例である。
【００３８】
なお，図示していないが，ファクシミリ装置１００がファクシミリ装置１５０にファクシミリ送信をしたことに応じて，モバイル装置２００にファクシミリ送信が完了したことを示す完了通知を送信する。さらに，その後，モバイル装置２００は，完了通知を受信したことに応じて，ファクシミリ装置１００とのセッションを切断し，リモート通信を終了する。また，変形例では，モバイル装置２００が，ファクシミリ装置１００にファクシミリ送信指示を送信した後に，ファクシミリ装置１００とのセッションを切断し，リモート通信を完了してもよい。
【００３９】
ファクシミリ装置１５０は，ファクシミリデータをファクシミリ受信すると，必要に応じて画像データに基づく印刷を行う。受信したファクシミリデータは，第１のファクシミリデータの一例であるが，第３のファクシミリデータの一例でもある。また，受信したファクシミリデータに含まれる画像データは，第１の画像ファイルの一例であるが，第３の画像ファイルの一例でもある。
【００４０】
ファクシミリ装置１５０は，受信した画像データを印刷せず，自身のＲＡＭ３３あるいはＮＶＲＡＭ３４に記憶し，ユーザの指示に応じて画像データを操作パネル４０に表示させるプレビュー機能と，受信した画像データを直ぐに印刷する直接印刷機能とを有し，プレビュー機能を有効とするか否かの設定が記憶されている。なお，プレビュー機能では，ユーザが任意のタイミングで印刷指示を入力することを条件として印刷を行う。また，変形例では，プレビュー機能は，ユーザが印刷指示を入力できず，印刷を実行できない構成であってもよい。プレビュー機能が有効の場合は，直接印刷機能が無効になり，プレビュー機能が無効の場合は，直接印刷機能が有効になる。ファクシミリ装置１５０は，その設定に従って，印刷を行うか否かを決定する。
【００４１】
また，ファクシミリ装置１５０は，ファクシミリデータをファクシミリ受信すると，送信元となるファクシミリ装置１００のファクシミリ番号と，ファクシミリデータに含まれる画像データと，同じくファクシミリデータに含まれる画像ＩＤと，が関連付けられた受信データ情報を，受信データデータベース（以下，「受信ＤＢ」と呼ぶ）１６０に登録する（図３の（４））。受信ＤＢ１６０は，ファクシミリ装置１５０のＮＶＲＡＭ３４に記憶される。なお，ファイルサーバ３００等，他のデバイスに受信ＤＢ１６０が記憶されていてもよい。受信ＤＢ１６０およびＮＶＲＡＭ３４は，第３のメモリの一例である。
【００４２】
その後，ファクシミリ装置１５０では，受信したファクシミリデータに対する返信の実行要求を受け付ける。ファクシミリ装置１５０は，操作パネル４０を介して返信モードへの移行指示を受け付けることができ，返信モードに移行することで，どのファクシミリデータに対する返信を行うかを操作パネル４０を介して選択させる。以下，返信対象のファクシミリデータとして，ファクシミリ装置１００からのファクシミリデータが選択されたものとする。
【００４３】
返信対象のファクシミリデータが選択されると，返信用の画像ファイルの選択を受け付け，返信用のファクシミリデータを生成する。返信対象となる画像ファイルが選択されていない場合には，ファクシミリ装置１５０は原稿の読み取りを開始し，読み取った画像に基づいて返信用の画像データを生成する。選択された画像ファイルあるいは原稿を読み取ることで得られる画像は，第４の画像ファイルの一例である。
【００４４】
そして，ファクシミリ装置１５０は，送信先となるファクシミリ装置１００のファクシミリ番号，送信元となるファクシミリ装置１５０のファクシミリ番号，送信対象となる画像データの他，送信対象となったファクシミリデータに含まれていた画像ＩＤを含むファクシミリデータを生成する。画像ＩＤは，受信ＤＢ１６０に記憶された受信データ情報に含まれる情報である。この場合も，ファクシミリ装置１００からのファクシミリ送信と同様に，ファクシミリ送信プロトコルの拡張フィールドに画像ＩＤを記憶する。そして，生成したファクシミリデータを，返信先であるファクシミリ装置１００にファクシミリ送信する（図３の（５））。生成されるファクシミリデータは，第４のファクシミリデータの一例である。
【００４５】
ファクシミリ装置１００は，ファクシミリデータをファクシミリ受信すると，必要に応じて当該ファクシミリデータに含まれる画像データに基づく印刷を行う。受信したファクシミリデータは，第４のファクシミリデータの一例であるが，第２のファクシミリデータの一例でもある。また，当該ファクシミリデータに含まれる画像データは，第４の画像ファイルの一例であるが，第２の画像ファイルの一例でもある。さらに，ファクシミリ装置１００は，ファクシミリデータに含まれる画像ＩＤと，送信ＤＢ１１０に記憶された画像ＩＤとを照合し，画像ＩＤが一致する送信データ情報を読み出す。
【００４６】
ファクシミリ装置１００は，送信データ情報を読み出すと，受信したファクシミリデータに含まれる画像データを表示用の画像ファイルに変換し，当該画像ファイルをファイルサーバ３００に送信して保存する（図３の（６））。例えば，ＴＩＦＦ形式の画像データを，表示用のＪＰＥＧ形式で圧縮されている画像ファイルに変換する。ファイルサーバ３００は，第２のメモリの一例である。なお，保存先は，ファイルサーバ３００等の外部デバイスに限らず，自装置のＮＶＲＡＭ３４であってもよい。この場合は，ＮＶＲＡＭ３４が第２のメモリの一例である。
【００４７】
ファクシミリ装置１００は，画像ファイルを保存した後，送信データ情報から宛先情報，すなわちモバイル装置２００にて受信可能な電子メールアドレスを取得する。そして，取得した電子メールアドレス宛てに，有線ＬＡＮインターフェース３６を用いて，画像ファイルの保存先の参照情報を記載した電子メールを送信する（図３の（７））。参照情報としては，例えば，ＵＲＬが該当する。ファイルサーバ３００にアクセスするために認証情報が必要であれば，その認証情報も電子メールに記載する。画像ファイルの保存先の参照情報および認証情報は，取得情報の一例である。なお，画像ファイルの送信と電子メールの送信とは，逆順であっても同時であってもよい。
【００４８】
モバイル装置２００は，ファクシミリ装置１００から送信された電子メールを受信すると，モバイル装置２００の表示部に，ファクシミリ送信に対する返信があった旨のメッセージを表示し，さらに返信された画像ファイルの保存先の参照情報を表示する。さらに，モバイル装置２００は，保存先となるファイルサーバ３００へのアクセス指示を受け付けると，保存先の参照情報に基づいてファイルサーバ３００にアクセスする。さらに，ファイルサーバ３００に記憶されている画像ファイルの取得指示を受け付けると，ファイルサーバ３００から画像ファイルを取得する（図３の（８））。
【００４９】
このような手順により，モバイル装置２００のユーザは，モバイル装置２００から送信されたファクシミリデータに対する返信が有った場合に，返信があったことを直ぐに認識でき，さらにその返信内容を速やかに確認できる。なお，モバイル装置２００は，画像ファイルを取得せず，画像ファイルの表示のみを行ってもよい。
【００５０】
［ファクシミリ装置の制御］
続いて，前述した第１の形態におけるファクシミリ装置１００の制御について説明する。なお，前述の説明では，ファクシミリ送信を実行する側をファクシミリ装置１００として，返信を実行する側をファクシミリ装置１５０として説明しているが，ファクシミリ送信を実行する側と返信を実行する側とは逆であってもよい。すなわち，ファクシミリ装置１００は，ファクシミリ送信機能と返信機能との両方の機能を有する。そのため，ファクシミリ装置１００は，送信ＤＢ１１０に加え，受信ＤＢ１６０も有する。
【００５１】
［送信処理］
始めに，ファクシミリ送信を行う送信処理について，図４のフローチャートを参照しつつ説明する。送信処理は，外部装置からファクシミリ送信指示を受信したことを契機に，ＣＰＵ３１によって実行される。
【００５２】
送信処理では，ファクシミリ装置１００は先ず，ファクシミリ送信指示に画像ファイルが有るか否かを判断する（Ｓ１０１）。ファクシミリ送信指示に画像ファイルが有る場合（Ｓ１０１：ＹＥＳ），ファクシミリ装置１００は，当該画像ファイルを取得する（Ｓ１０２）。一方，ファクシミリ送信指示に画像ファイルが無い場合（Ｓ１０１：ＮＯ），ファクシミリ装置１００は，読取部２０に原稿の画像を読み取らせる（Ｓ１１１）。Ｓ１０２およびＳ１１１は，第１画像取得処理の一例である。
【００５３】
Ｓ１０２あるいはＳ１１１の後，ファクシミリ装置１００は，ファクシミリ送信指示に宛先情報が有るか否かを判断する（Ｓ１２１）。宛先情報が無い場合（Ｓ１２１：ＮＯ），本形態の返信機能が利用できないため，ファクシミリ装置１００は，通常のファクシミリデータ，すなわち画像ＩＤを含めないファクシミリデータを生成する（Ｓ１３１）。そして，ファクシミリインターフェース３８を用いて，当該ファクシミリデータを，ファクシミリ送信指示に含まれるファクシミリ番号によって特定されるファクシミリ装置にファクシミリ送信する（Ｓ１３２）。
【００５４】
一方，宛先情報が有る場合（Ｓ１２１：ＹＥＳ），ファクシミリ装置１００は当該宛先情報を取得する（Ｓ１２２）。そして，ファクシミリ装置１００は，取得した画像ファイルを識別するための画像ＩＤを生成する（Ｓ１２３）。さらにファクシミリ装置１００は，ファクシミリ送信プロトコルの拡張フィールドに画像ＩＤを書き込んだファクシミリデータを生成する（Ｓ１２４）。そして，ファクシミリインターフェース３８を用いて，当該ファクシミリデータを，ファクシミリ送信指示に含まれるファクシミリ番号によって特定されるファクシミリ装置にファクシミリ送信する（Ｓ１２５）。Ｓ１２５は，第１送信処理の一例である。
【００５５】
Ｓ１２５の後，ファクシミリ装置１００は，画像ＩＤと宛先情報とが関連付けられた送信データ情報を送信ＤＢ１１０に登録する（Ｓ１２６）。Ｓ１２６は，第１記憶処理の一例である。Ｓ１２６あるいはＳ１３２の後，送信処理を終了する。
【００５６】
［受信処理］
続いて，受信側の処理である受信処理について，図５のフローチャートを参照しつつ説明する。受信処理は，他のファクシミリ装置からファクシミリデータをファクシミリ受信したことを契機に，ＣＰＵ３１によって実行される。
【００５７】
受信処理では，ファクシミリ装置１００は先ず，ファクシミリ受信したファクシミリデータの拡張フィールドに画像ＩＤが有るか否かを判断する（Ｓ２０１）。前述したように，本形態のファクシミリ送信では，ファクシミリ送信指示を受けたことに応じたファクシミリデータであっても，その返信のファクシミリデータであっても，ファクシミリデータに画像ＩＤが含まれる。換言すると，画像ＩＤが含まれないファクシミリデータは，本形態のファクシミリ送信に関するファクシミリデータではない。
【００５８】
そこで，ファクシミリデータに画像ＩＤが有れば（Ｓ２０１：ＹＥＳ），本形態のファクシミリ送信に関するファクシミリデータを受信したと判断できる。この場合，受信処理の実行を開始するにあたって行われるファクシミリデータをファクシミリ受信する処理は，第１受信処理および第２受信処理の一例となる。本形態のファクシミリ送信に関するファクシミリデータをファクシミリ受信したのであれば，ファクシミリ装置１００は，当該画像ＩＤを取得する（Ｓ２０２）。そして，ファクシミリ装置１００は，取得した画像ＩＤと送信ＤＢ１１０に記憶されている画像ＩＤとを照合し，取得した画像ＩＤと送信ＤＢ１１０に記憶されている画像ＩＤとが一致するか否かを判断する（Ｓ２０３）。
【００５９】
一致する画像ＩＤが無い場合には（Ｓ２０３：ＮＯ），ファクシミリ受信したファクシミリデータは本形態のファクシミリ送信によって新規に受け付けたファクシミリデータと判断できる。そこで，ファクシミリ装置１００は，ファクシミリデータに含まれる送信元のファクシミリ装置のファクシミリ番号（図面中では「ＦＡＸ番号」と記載する）を取得する（Ｓ２１１）。そして，ファクシミリ装置１００は，Ｓ２０２で取得した画像ＩＤとＳ２１１で取得した送信元のファクシミリ装置のファクシミリ番号とが関連付けられた受信データ情報を，受信ＤＢ１６０に登録する（Ｓ２１２）。Ｓ２１２は，第３記憶処理の一例である。
【００６０】
一方，一致する画像ＩＤが有る場合には（Ｓ２０３：ＹＥＳ），ファクシミリ受信したファクシミリデータは本形態のファクシミリ送信によって返信されたファクシミリデータと判断できる。そこで，ファクシミリ装置１００は，ファクシミリデータに含まれるファクシミリデータを表示用の画像ファイルに変換し（Ｓ２０４），有線ＬＡＮインターフェース３６あるいは無線ＬＡＮインターフェース３７を用いて，当該画像ファイルをファイルサーバ３００に送信して記憶する（Ｓ２０５）。なお，このときファクシミリ装置１００は，ファイルサーバ３００から参照情報としてＵＲＬを受信する。Ｓ２０５は，第２記憶処理の一例である。送信先となるファイルサーバ３００はあらかじめファクシミリ装置１００に設定されており，ファイルサーバ３００の宛先もファクシミリ装置１００のＮＶＲＡＭ３４に記憶されている。
【００６１】
さらにファクシミリ装置１００は，Ｓ２０２で取得した画像ＩＤに関連付けられた宛先情報を送信ＤＢ１１０から読み出す（Ｓ２０６）。そして，ファクシミリ装置１００は，Ｓ２０５にて送信された画像ファイルの参照情報であるＵＲＬを記載した電子メールを生成し，有線ＬＡＮインターフェース３６あるいは無線ＬＡＮインターフェース３７を用いて，宛先情報によって特定される電子メールアドレス宛てに，生成した電子メールを送信する（Ｓ２０７）。Ｓ２０７は，第１通知処理の一例である。なお，Ｓ２０５での画像ファイルの送信と，Ｓ２０６およびＳ２０７での電子メールの送信とは，逆順であっても同時であってもよい。
【００６２】
Ｓ２０７，あるいはＳ２１２，あるいはファクシミリデータに画像ＩＤが無ければ（Ｓ２０１：ＮＯ），ファクシミリ装置１００は，プレビュー機能が有効か否かを判断する（Ｓ２２１）。プレビュー機能が有効であれば（Ｓ２２１：ＹＥＳ），ファクシミリ装置１００は，Ｓ２０４で変換された画像ファイルをＮＶＲＡＭ３４に記憶する（Ｓ２２２）。一方，プレビュー機能が無効，すなわち直接印刷機能が有効であれば（Ｓ２２１：ＮＯ），ファクシミリ装置１００は，画像ファイルに基づく印刷を印刷部１０に行わせる（Ｓ２３１）。ファクシミリ装置１００は，印刷済みの画像ファイルを消去する。Ｓ２３１あるいはＳ２２２の後，受信処理を終了する。
【００６３】
［返信処理］
次に，ファクシミリ受信したファクシミリデータに対する返信を行う返信処理について，図６のフローチャートを参照しつつ説明する。返信処理は，操作パネル４０の操作によって返信モードへの移行指示を受け付けたことにより，ＣＰＵ３１によって実行される。
【００６４】
返信処理では，ファクシミリ装置１００は先ず，返信対象となるファクシミリデータを選択させる選択画面を，操作パネル４０に表示させる（Ｓ３０１）。Ｓ３０１では，ファクシミリ装置１００は，受信ＤＢ１６０を参照し，登録されているファクシミリデータの中から返信対象を選択させる。
【００６５】
Ｓ３０１にて表示される選択画面は，プレビュー機能が有効か否かによって異なる。プレビュー機能が有効な場合は，画像ファイルが記憶されている。このことから，図７に示すようなプレビュー画面５０を表示する。プレビュー画面５０には，画像ファイルに対応する画像を表示する画像部５１と，印刷を指示する印刷ボタン５２と，返信をキャンセルするキャンセルボタン５３と，返信を指示する返信ボタン５４と，受信ＤＢ１６０に登録されている他のファクシミリデータに表示を切り換える切換ボタン５５，５６とが表示される。ファクシミリ装置１００は，返信ボタン５４の押下によって，表示中のファクシミリデータの返信指示を受け付ける。プレビュー画面５０は，返信指示画面の一例である。
【００６６】
また，直接印刷機能が有効な場合は，画像ファイルが記憶されていない。このことから，図８に示すようなファクシミリデータ一覧画面６０を表示する。ファクシミリデータ一覧画面６０には，受信ＤＢ１６０に登録されているファクシミリデータの一覧を表示する一覧表示部６１と，返信対象となるファクシミリデータの登録番号を入力させる入力部６２と，返信をキャンセルするキャンセルボタン６３と，返信を指示する返信ボタン６４とが表示される。一覧表示部６１には，画像ＩＤと当該画像ＩＤに割り当てられた登録番号とが関連付けられて表示される。入力部６２では，登録番号の入力を受け付ける。なお，ファクシミリ装置１００は，ファクシミリデータの印刷の際，ファクシミリデータに画像ＩＤが含まれていればファクシミリデータに含まれる画像データに画像ＩＤを合成した画像を印刷する。そのため，ユーザは，印刷物を確認することで，画像ＩＤを把握できる。ファクシミリデータ一覧画面６０は，返信指示画面の一例である。また，変形例では，ファクシミリデータの受信日時を，画像ＩＤ等と関連付けて受信ＤＢ１６０に登録し，ファクシミリデータの印刷の際に，画像データに画像ＩＤを合成せず，受信日時を合成した画像を印刷してもよい。
【００６７】
Ｓ３０１の後，ファクシミリ装置１００は，返信が指示されたか否かを判断する（Ｓ３０２）。また，返信が指示されていない場合には（Ｓ３０２：ＮＯ），返信モードのキャンセルが指示されたか否かを判断する（Ｓ３０３）。返信モードのキャンセルが指示されていない場合には（Ｓ３０３：ＮＯ），Ｓ３０２に戻り，返信あるいはキャンセルが指示されるのを待つ。
【００６８】
返信が指示された場合，すなわち返信ボタン５４あるいは６４が押下された場合には（Ｓ３０２：ＹＥＳ），ファクシミリ装置１００は，返信用の画像が指定されたか否かを判断する（Ｓ３１２）。返信用の画像が選択された場合には（Ｓ３１２：ＹＥＳ），ファクシミリ装置１００は，指定された画像の画像ファイルを取得する（Ｓ３１３）。一方，返信用の画像が選択されなかった場合には（Ｓ３１２：ＮＯ），ファクシミリ装置１００は，読取部２０に原稿の画像の読み取りを開始させる（Ｓ３２１）。Ｓ３１３およびＳ３２１は，第２画像取得処理の一例である。
【００６９】
Ｓ３１３あるいはＳ３２１の後，ファクシミリ装置１００は，返信が指示されたファクシミリデータの画像ＩＤを受信ＤＢ１６０から読み出す（Ｓ３１４）。さらに当該画像ＩＤに関連付けられたファクシミリ番号を読み出す（Ｓ３１５）。画像ＩＤに関連付けられたファクシミリ番号は，当該画像ＩＤに対応する画像ファイルの送信元となったファクシミリ装置のファクシミリ番号である。そして，ファクシミリ装置１００は，Ｓ３１４で取得した画像ＩＤをファクシミリ送信プロトコルの拡張フィールドに書き込んだファクシミリデータを生成し（Ｓ３１６），ファクシミリインターフェース３８を用いて，当該ファクシミリデータをＳ３１５で取得したファクシミリ番号によって特定されるファクシミリ装置にファクシミリ送信する（Ｓ３１７）。Ｓ３１７は，第２送信処理の一例である。
【００７０】
Ｓ３１７の後，あるいは返信モードのキャンセルが指示された場合，すなわちキャンセルボタン５３あるいは６３が押下された場合には（Ｓ３０３：ＹＥＳ），モードを返信モード移行前のモードに戻し（Ｓ３３１），返信処理を終了する。
【００７１】
以上詳細に説明したように第１の形態にかかるファクシミリ装置１００は，ファクシミリ送信の対象となったファクシミリデータについて，当該ファクシミリデータに含まれる画像ファイルの画像ＩＤを，返信を受信した際の通知先の情報である宛先情報と関連付けて記憶している。そのため，ファクシミリ装置１００は，ファクシミリデータをファクシミリ受信した際，当該ファクシミリデータに含まれる画像ＩＤと，送信ＤＢ１１０に記憶される画像ＩＤと，が一致するか否かによって，送信済みのファクシミリデータに対応する返信か否かを区別できる。さらに，画像ＩＤを照合することで，どのファクシミリデータに対する返信かを判断できる。そして，ファクシミリ装置１００は，受信したファクシミリデータが，送信済みの特定のファクシミリデータに対応する返信であった場合に，受信したファクシミリデータに含まれる画像ファイルの参照情報を，画像ＩＤと関連付けられた宛先情報に基づく通知先に送信することで，ユーザはその通知先を介して，返信が有ったことを認識でき，さらにその返信内容を確認できる。
【００７２】
［第２の形態］
続いて，ファクシミリ通信システム９００における第２の形態の動作について，図９のブロック図を参照しつつ説明する。第２の形態では，モバイル装置２００が，ファクシミリ装置１５０から返信されたファクシミリデータに基づく画像ファイルを，直接，ファクシミリ装置１００から取得する。この点，ファイルサーバ３００を経由して画像ファイルを取得する第１の形態と異なる。
【００７３】
第２の形態では，モバイル装置２００がファクシミリ装置１００との間でリモート通信を確立させ，モバイル装置２００がファクシミリ送信指示をファクシミリ装置１００に送信してから（図９の（１）），ファクシミリ装置１５０が，返信用のファクシミリデータを，ファクシミリ装置１００にファクシミリ送信する（図９の（５））までの手順，さらにファクシミリ装置１００が，当該返信用のファクシミリデータに含まれる画像データに基づく印刷を行う手順，さらにファクシミリ装置１００が，当該返信用のファクシミリデータに含まれる画像ＩＤと，送信ＤＢ１１０に記憶された画像ＩＤとを照合し，画像ＩＤが一致する送信データ情報を読み出す手順は，第１の形態と同じである。
【００７４】
ファクシミリ装置１００は，送信データ情報を読み出すと，受信したファクシミリデータに含まれる画像データを表示用の画像ファイルに変換する。さらに送信データ情報から宛先情報，すなわちモバイル装置２００にて受信可能な電子メールアドレスを取得し，取得した電子メールアドレス宛てに，変換後の画像ファイルを添付した電子メールを送信する（図９の（１１））。
【００７５】
すなわち，第２の形態では，返信用のファクシミリデータを受信したファクシミリ装置１００が，返信の通知先であるモバイル装置２００に，直接，返信用のファクシミリデータに含まれる画像ファイルを送信する。これにより，ファイルサーバ３００を経由して返信用の画像ファイルを受け渡す第１の形態と比較して，返信用の画像ファイルの受け渡し手順がシンプルになる。また，第２の形態では，ファイルサーバ３００を有しないシステムであっても，返信の通知が可能になる。また，返信用の画像ファイルを保存する必要がなく，メモリの負荷を軽減できる。
【００７６】
一方で，第１の形態では，返信用の画像ファイルを一旦ファイルサーバ３００に保存し，ユーザ任意のタイミングでモバイル装置２００が当該画像ファイルを取得する構成であり，返信の通知時にモバイル装置２００が受信するデータ量が少ない。そのため，画像ファイルの送信に起因して，ユーザの意図しないタイミングでモバイル装置２００の通信負荷が大きくなる可能性を低減できる。
【００７７】
［第３の形態］
続いて，ファクシミリ通信システム９００における第３の形態の動作について，図１０のブロック図を参照しつつ説明する。第３の形態では，モバイル装置２００が，返信されたファクシミリデータが有ることを，ファイルサーバ３００から通知される。この点，モバイル装置２００が，ファクシミリ装置１００から通知される第１の形態と異なる。
【００７８】
第３の形態でも，第２の形態と同様に，モバイル装置２００がファクシミリ装置１００との間でリモート通信を確立させ，モバイル装置２００がファクシミリ送信指示をファクシミリ装置１００に送信してから（図１０の（１）），ファクシミリ装置１５０が，返信用のファクシミリデータを，ファクシミリ装置１００にファクシミリ送信する（図１０の（５））までの手順，さらにファクシミリ装置１００が，当該返信用のファクシミリデータに含まれる画像データに基づく印刷を行う手順，さらにファクシミリ装置１００が，当該返信用のファクシミリデータに含まれる画像ＩＤと，送信ＤＢ１１０に記憶された画像ＩＤとを照合し，画像ＩＤが一致する送信データ情報を読み出す手順は，第１の形態と同じである。
【００７９】
ファクシミリ装置１００は，送信データ情報を読み出すと，受信したファクシミリデータに含まれる画像データを表示用の画像ファイルに変換し，さらに送信データ情報から宛先情報，すなわちモバイル装置２００にて受信可能な電子メールアドレスを取得し，当該画像ファイルおよび宛先情報をファイルサーバ３００に送信する（図１０の（２１））。この画像ファイルおよび宛先情報のファイルサーバ３００への送信は，第２通知処理の一例である。なお，画像ファイルの保存先はファイルサーバ３００とは別のデバイスに記憶してもよく，その場合は，画像ファイルに代わり，画像ファイルの保存先の参照情報を，ファイルサーバ３００に送信する。
【００８０】
ファイルサーバ３００は，画像ファイルおよび宛先情報を取得すると，画像ファイルのファイルサーバ３００自身の保存先の参照情報を記載した電子メールを，宛先情報に基づいて送信する（図１０の（２２））。すなわち，ファイルサーバ３００は，取得した宛先情報の示す電子メールアドレス宛てに，上記の電子メールを送信する。
【００８１】
モバイル装置２００は，ファイルサーバ３００から送信された電子メールを受信すると，第１の形態と同様に，モバイル装置２００の表示部に，ファクシミリ送信に対する返信があった旨のメッセージを表示し，さらに返信された画像ファイルの保存先の参照情報を表示する。さらに，モバイル装置２００は，ファイルサーバ３００に記憶されている画像ファイルの取得指示を受け付けると，ファイルサーバ３００から画像ファイルを取得する（図１０の（２３））。
【００８２】
すなわち，第３の形態では，ファクシミリ装置１００からモバイル装置２００への通知は行わず，ファイルサーバ３００がモバイル装置２００への通知を行う。これにより，ファクシミリ装置１００が電子メール機能を有していない場合であっても，モバイル装置２００への返信の通知が可能になる。
【００８３】
なお，本実施の形態は単なる例示にすぎず，本発明を何ら限定するものではない。したがって本発明は当然に，その要旨を逸脱しない範囲内で種々の改良，変形が可能である。例えば，ファクシミリ装置は，ファクシミリ通信機能を有していればよく，ファクシミリ装置の他，例えば，複合機，ファクシミリ通信機能を有するＰＣであってもよい。
【００８４】
また，実施の形態では，画像ファイルと，画像ファイルの保存先の参照情報と，のいずれか一方を，ファクシミリ装置１００からモバイル装置２００に送信する構成であるが，画像ファイルと参照情報との両方を送信する構成であってもよい。例えば，画像ファイルを電子メールに添付し，当該電子メールの本文に画像ファイルの保存先のＵＲＬを記載する構成であってもよい。
【００８５】
また，実施の形態では，ファクシミリデータに含まれる識別情報として，画像ＩＤを生成しているが，ファクシミリデータを特定する情報としてはこれに限るものではない。例えば，画像ＩＤの代わりに，ジョブを識別するジョブＩＤであってもよい。
【００８６】
また，実施の形態では，返信を受信した際の通知先の情報である宛先情報を，モバイル装置２００からのファクシミリ送信指示に含めることで，ファクシミリ装置１００が取得しているが，宛先情報の取得方法はこれに限るものではない。例えば，ファクシミリ装置が，ログインユーザと宛先情報とを関連付けて記憶している場合には，ファクシミリ送信指示を受け付けた際にファクシミリ装置にログインしているログインユーザの情報から宛先情報を取得してもよい。
【００８７】
また，ファクシミリ装置１００を操作パネル４０を介してユーザが操作してファクシミリ送信を行う場合であっても，本発明を適用可能である。この場合，ファクシミリ装置１００は，宛先情報を操作パネル４０を介してユーザに入力してもらうとよい。この構成によれば，例えば，ファクシミリ送信指示を入力したユーザの携帯電話にて受信可能な電子メールアドレスを返信の通知先とすることで，ファクシミリ送信後，ユーザがファクシミリ装置１００から離れたとしても，携帯電話に返信の通知が行われ，ユーザが速やかに返信を確認できる。
【００８８】
また，実施の形態では，宛先情報を電子メールアドレスとしているが，これに限るものではない。例えば，通知先がファクシミリ装置１００と同一ネットワーク内にあれば，宛先情報をＩＰアドレスとしてもよい。また，モバイル装置２００とファクシミリ装置１００との間でＳＭＳによる通信が可能であれば，宛先情報を電話番号としてもよい。
【００８９】
また，実施の形態では，ファクシミリデータの返信を，ユーザ操作による返信モードへの移行によって行っているが，返信のタイミングはこれに限るものではない。例えば，予め返信用の画面を用意し，ファクシミリ送信のファクシミリデータを受信したことを契機に，自動で当該返信用の画面を応答する構成を有していてもよい。なお，実施の形態のように，返信モードに移行し，返信指示画面としてプレビュー画面５０あるいはファクシミリデータ一覧画面６０を表示し，ユーザ任意の返信用の画像を受け付ける構成であれば，ユーザの任意のタイミングで，ユーザ任意の画像の返信を実行できる。
【００９０】
また，実施の形態では，返信指示画面となるプレビュー画面５０あるいはファクシミリデータ一覧画面６０を，ファクシミリ装置１５０の操作パネル４０に表示させているが，表示手段はこれに限るものではない。例えば，ファクシミリ装置１５０に接続されるＰＣ等の外部装置に表示させてもよい。
【００９１】
また，実施の形態では，プレビュー機能が有効か直接印刷機能が有効かによって返信指示画面を切り替えているが，返信指示画面の態様はこれに限るものではない。例えば，画像ファイルが記憶されるプレビュー機能が有効な場合にのみ返信指示画面を表示するように構成してもよい。また，実施の形態では，直接印刷機能であれば印刷後に画像ファイルを消去しているが，消去しなくてもよい。この場合，直接印刷機能であっても，返信モードの際，プレビュー画面５０を表示してもよい。すなわち，返信指示画面に必ず画像が表示される構成であってもよい。
【００９２】
また，実施の形態では，図７に示したように，プレビュー機能が有効な場合に表示されるプレビュー画面５０に返信ボタン５４を表示しているが，プレビュー表示する対象のファクシミリデータが実施の形態の対象となるファクシミリデータではない，すなわち画像ＩＤが含まれないファクシミリデータであった場合には，返信ボタン５４を非表示としてもよい。非表示とすることで，返信できないファクシミリデータに対して返信ボタンが押下されることを回避できる。
【００９３】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【００９４】
３６：有線ＬＡＮインターフェース，３７：無線ＬＡＮインターフェース，３８：ファクシミリインターフェース，４０：操作パネル，１００及び１５０：ファクシミリ装置，２００：モバイル装置，３００：ファイルサーバ，９００：ファクシミリ通信システム
【図１】
2016051951.tif 000003
【図２】
2016051951.tif 000004
【図３】
2016051951.tif 000005
【図４】
2016051951.tif 000006
【図５】
2016051951.tif 000007
【図６】
2016051951.tif 000008
【図７】
2016051951.tif 000009
【図８】
2016051951.tif 000010
【図９】
2016051951.tif 000011
【図１０】
2016051951.tif 000012